(57)【要約】【課題】  画像データの管理にコンピュータを必要としない電子黒板システムを、提供する。【解決手段】  電子黒板システムを、ボード面を備えると共に、ボード面上の画像を表す画像データを複合機に対して送信する機能，及び，複合機から送信されてきた画像データに応じた内容の画像をボード面上に表示する機能を有する電子黒板１０と、複数の画像データを記憶可能なＨＤＤを有すると共に、電子黒板から送信されてきた画像データをＨＤＤに記憶する機能，及び，ＨＤＤに記憶されている任意の画像データを電子黒板１０に対して送信する機能を有する制御部２４を備えた複合機２０とが、接続されたシステムとして構成しておく。【選択図】  図１
2006080729.tif 000002
【特許請求の範囲】
【請求項１】
電子黒板と複合機とが接続された電子黒板システムであって、
前記電子黒板が、
ボード面を備えると共に、前記ボード面上の画像を表す画像データを前記複合機に対して送信する機能，及び，前記複合機から送信されてきた画像データに応じた内容の画像をボード面上に表示する機能を有する装置であり、
前記複合機が、
複数の画像データを記憶可能な記憶手段を備えると共に、前記電子黒板から送信されてきた画像データを前記記憶手段に記憶する機能，及び，前記記憶手段に記憶されている任意の画像データを前記電子黒板に対して送信する機能を有する装置である
ことを特徴とする電子黒板システム。
【請求項２】
前記電子黒板が、
用紙上に印刷を行うための機構を備えない装置である
ことを特徴とする請求項１記載の電子黒板システム。
【請求項３】
前記複合機が、
前記記憶手段に記憶されている任意の画像データのファイルを、ネットワーク接続されたコンピュータに送信する画像データファイル送信機能をさらに有する装置である
ことを特徴とする請求項１又は請求項２に記載の電子黒板システム。
【請求項４】
前記複合機の前記画像データファイル送信機能が、複数の形式の画像データファイルを生成可能な機能であると共に、ユーザにより指定された形式の画像データファイルを生成して送信する機能である
ことを特徴とする請求項３記載の電子黒板システム。
【発明の詳細な説明】
【技術分野】
【０００１】
本発明は、電子黒板システムに、関する。
【背景技術】
【０００２】
周知のように、近年、ボード面上の画像に表す画像データを，ネットワーク接続されたコンピュータ内に記憶することや、ネットワーク接続されたコンピュータ内に記憶されている画像データに応じた画像をボード面上に表示させることが可能な電子黒板と呼ばれているもの；例えば、特許文献１参照。）が、開発されている。
【０００３】
そして、そのような電子黒板（以下、インタラクティブ型電子黒板と表記する）は、通常、複数の画像データを、特定のコンピュータに記憶しておく形で利用されている。換言すれば、インタラクティブ型電子黒板は、実際上、ボード面上に表示することがある幾つかの画像データを管理しておくためのコンピュータを必要とするものとなっている。
【特許文献１】特開２０００−９４８８６号公報
【発明の開示】
【発明が解決しようとする課題】
【０００４】
そこで、本発明の課題は、画像データの管理にコンピュータを必要としない電子黒板システムを、提供することにある。
【課題を解決するための手段】
【０００５】
上記課題を解決するために、本発明では、電子黒板システムを、ボード面を備えると共に、ボード面上の画像を表す画像データを複合機に対して送信する機能，及び，複合機から送信されてきた画像データに応じた内容の画像をボード面上に表示する機能を有する電子黒板と、複数の画像データを記憶可能な記憶手段を備えると共に、電子黒板から送信されてきた画像データを記憶手段に記憶する機能，及び，記憶手段に記憶されている任意の画像データを電子黒板に対して送信する機能を有する複合機とが接続されたシステムとして構成しておく。
【０００６】
すなわち、本発明の電子黒板システムは、複合機が、電子黒板関連の画像データを記憶するためのコンピュータとして機能するものとなっている。従って、本発明の電子黒板システムは、画像データの管理にコンピュータを必要としないシステムとなっていると言うことが出来る。また、本発明の電子黒板システムの複合機は、既存の複合機（特にＨＤＤを備えたもの）を少し改造するだけで実現可能なものであるので、本発明の電子黒板システムは、安価に製造できるシステムとなっていると言うことも出来る。
【０００７】
本発明の電子黒板システムを実現するに際しては、システムを安価なものとするために、電子黒板として、用紙上に印刷を行うための機構を備えないものを採用しておくことが望ましい。
【０００８】
また、電子黒板のボード面上の画像を表す画像データをコンピュータでも利用できるようにするために、本発明の電子黒板システムの複合機を、記憶手段に記憶されている任意の画像データのファイルを、ネットワーク接続されたコンピュータに送信する画像データファイル送信機能をさらに有する装置としておいても良い。さらに、画像データファイル送信機能を、複数の形式の画像データファイルを生成可能な機能であると共に、ユーザにより指定された形式の画像データファイルを生成して送信する機能としておいても良い。
【発明を実施するための最良の形態】
【０００９】
以下、本発明を実施するための最良の形態を、図面を参照して詳細に説明する。
【００１０】
まず、図１を用いて、本発明の一実施形態に係る電子黒板システムの構成を、説明する。
【００１１】
図示してあるように、本発明の一実施形態に係る電子黒板システムは、画像投影部１１，画像読取部１２，操作パネル部１３及び制御部１４を備えた電子黒板１０と、印刷部２１，スキャナ部２２，操作パネル部２３及び制御部２４を備えた複合機２０とが、ケーブルにより接続されたシステムである。また、電子黒板システムは、複合機２０が，複合機２０に印刷を行わせるためのプリンタドライバがインストールされた何台かのコンピュータ５０とネットワーク接続された形で使用されるシステムとなっている。
【００１２】
電子黒板１０が備える画像投影部１１は、供給された画像データに応じた内容の画像を、電子黒板１０が備えるボード面（図示せず）に投影するためのユニットである。画像読取部１２は、ボード面上の画像（ボード面上に投影されている画像及びボード面上に描かれている画像）を表す画像データを生成するためのユニットである。操作パネル部１３は、ＬＣＤ，各種押しボタンスイッチ等が組み合わされたユニット（ユーザから各種の指示を得るためのユニット）である。制御部１４は、画像投影部１１や画像読取部１２を利用する処理（詳細は後述）を行うユニットである。この制御部１４は、ＣＰＵ，ＲＯＭ，ＲＡＭ，複合機２０との間で通信を行うためのインタフェース回路（本実施形態では、ＵＳＢインタフェース回路）等から構成されている。
【００１３】
複合機２０が備える印刷部２１は、印刷を行うユニットである。スキャナ部２２は、複合機２０（スキャナ部２２）にセットされた原稿をスキャンして、当該原稿上の画像を表す画像データを生成するユニットである。操作パネル部２３は、ＬＣＤ，各種押しボタンスイッチ等からなるユニット（ユーザから各種の指示を得るためのユニット）である。制御部２４は、印刷部２１やスキャナ部２２を利用する各種処理（詳細は後述）を行うユニットである。この制御部２４は、ＣＰＵ，ＲＯＭ，ＲＡＭ，ＨＤＤ，電子黒板１０との間で通信を行うためのインタフェース回路（本実施形態では、ＵＳＢインタフェース回路），ネットワークインタフェース回路等から構成されている。
【００１４】
次に、本実施形態に係る電子黒板システムの動作を、説明する。
【００１５】
電子黒板１０内の制御部１４は、電源が投入されると、図２に示した手順の処理を開始するユニットとして構成されている。また、複合機２０内の制御部２４は、電源が投入されると、図３に示した手順の処理を開始するユニットとして構成されている。
【００１６】
すなわち、図２に示してあるように、電子黒板１０内の制御部１４は、電源が投入されると、印刷指示，保存指示，リスト提示指示のいずれかが入力される（各指示に対応付けられている内容の操作が操作パネル１３に対してなされる）のを待機する処理(ステップＳ１０１)を、開始する。
【００１７】
ここで、印刷指示とは、ボード面上の画像の印刷を命ずるためにユーザが出す指示のことである。また、保存指示とは、ボード面上の画像を表す画像データの保存を命ずるためにユーザが出す指示のことであり、リスト提示指示とは、ボード面上に新たな画像を表示したい場合にユーザが出す指示のことである。
【００１８】
ステップＳ１０１の処理が完了した制御部１４（印刷指示，保存指示或いはリスト提示指示が入力されたことを検出した制御部１４）は、ユーザが入力した指示が印刷指示であった場合(ステップＳ１０２；印刷指示)には、印刷要求（印刷要求であることを制御部２４が判断できる内容の情報）を複合機２０に対して送信する処理(ステップＳ１０３)と、画像読取部１２に対してボード面上の画像を表す画像データの生成を命じ、その結果として画像読取部１２が出力する画像データを複合機２０に送信する処理(ステップＳ１０５)とを、行う。そして、ステップＳ１０５の処理を終えた制御部１４は、ステップＳ１０１の処理を再び開始する。すなわち、制御部１４は、ユーザによって各種指示が入力されるのを待機する状態となる。
【００１９】
一方、電源が投入された複合機２０内の制御部２４は、図３に示してあるように、印刷要求，保存要求，リスト要求、画像データ要求のいずれかが電子黒板１０から送信されてくるのを待機する処理(ステップＳ２０１)を、開始している。
【００２０】
なお、制御部２４は、このステップＳ２０１の処理と並列的に、コピー開始指示等が入力される（操作パネル２３に対して所定の操作がなされる）のを監視する処理や、印刷データがコンピュータ５０から送信されてくるのを監視する処理を実行するユニットであると共に、コピー開始指示等が入力された場合には、入力された指示に応じた処理（複合機２０をコピー機として動作させるための処理等）を開始し、印刷データがコンピュータ５０から送信されてきた場合には、当該印刷データに応じた内容の印刷を印刷部２１に行わせるユニットとなっている。
【００２１】
ステップＳ２０１の処理を終えた制御部１４（印刷要求，保存要求，リスト要求，画像データ要求のいずれかを電子黒板１０から受信した制御部１４）は、電子黒板１０から受信した要求が印刷要求であった場合(ステップＳ２０２：印刷要求)には、その後に電子黒板１０から送信されてくる画像データ（図２のステップＳ１０５にて送信される画像データ）に基づいた印刷を印刷部２１に行わせるための処理(ステップＳ２０３)を行ってから、ステップＳ２０１の処理を再び開始する。
【００２２】
また、電子黒板１０内の制御部１４は、ユーザが入力した指示が保存指示であった場合(ステップＳ１０２；保存指示)には、保存要求（保存要求であることを制御部２４が判断できる内容の情報）を複合機２０に対して送信(ステップＳ１０４)してから、ステップＳ１０５以降の処理を開始する。
【００２３】
この保存要求を受信した場合（図３：ステップＳ２０２；保存要求）、複合機２０内の制御部１４は、その後に電子黒板１０から送信されてくる画像データを、現在日時から自動生成した画像データ名で識別可能な形で、ＨＤＤ上に記憶する処理(ステップＳ２０４)を行ってから、ステップＳ２０１の処理を開始する。
【００２４】
また、電子黒板１０内の制御部１４は、ユーザが入力した指示がリスト提示指示であった場合(ステップＳ１０１；提示指示)には、リスト要求（リスト要求であることを制御部２４が判断できる内容の情報）を複合機２０に対して送信する(ステップＳ１０６)。
【００２５】
このリスト要求を受信した場合(ステップＳ２０２：リスト要求)、複合機２０内の制御部２４は、ＨＤＤに保存されている各画像データの画像データ名を含めた画像データ名リストを電子黒板１０に対して送信する処理(ステップＳ２０３)を行ってから、ステップＳ２０１の処理を開始する。
【００２６】
一方、ステップＳ１０６の処理を終えた制御部１４は、画像データ指定受付処理（ステップＳ１０７）を開始する。この画像データ受付処理は、リスト要求への応答として複合機２０が送信してくる画像データ名リストを受信する処理であると共に、当該画像データ名リストに含まれる幾つかの画像データ名の中からユーザが１つの画像データ名を選択できるように、操作パネル部１３を制御する処理である。
【００２７】
そして、制御部１４は、この画像データ指定受付処理が完了したとき（ユーザにより、画像データ名が選択されたとき）には、ユーザによって選択された画像データ名を含めた画像データ要求を複合機２０に対して送信する(ステップＳ１０８)。
【００２８】
この画像データ要求を受信した場合(ステップＳ２０２：画像データ要求)、制御部２４は、当該画像データ要求に含まれる画像データ名で識別される画像データをＨＤＤから読み出して、電子黒板１０に送信する処理(ステップＳ２０６)を行ってから、ステップＳ２０１の処理を開始する。
【００２９】
そして、ステップＳ１０８（図２）の処理を終えた制御部１４は、複合機２０からの画像データを受信し、受信した画像データを画像投影部１１に供給する処理(ステップＳ１０９)を行った後に、ステップＳ１０１の処理を開始する。
【００３０】
本電子黒板システムに用いられている複合機２０内の制御部２４は、上記のような処理を実行可能なユニットであると共に、原稿の画像データをスキャナ部２２に生成させ、生成させた画像データをＨＤＤ上に保存する処理（以下、スキャン処理と表記する）や，ＨＤＤ上に保存されている各画像データの各種形式のファイルを生成して指定された場所（指定されたコンピュータ５０の指定されたフォルダ内）に記憶する処理（以下、画像データファイル送信処理と表記する）を、実行可能なユニットとなっている。
【００３１】
そして、ステップＳ２０５（図２）の処理は、スキャン処理により保存された画像データと、ステップＳ２０４の処理により保存された画像データとを、区別しない処理となっている。すなわち、ステップＳ２０５の処理は、その時点において、ＨＤＤ上に保存されている各画像データの画像データ名を全て含めた画像データ名リストを送信する処理となっている。また、画像データファイル送信処理は、図４（ａ）〜図４（ｄ）に示した画面を、操作パネル部２３のＬＣＤに順次表示させることにより、実行すべき処理の内容をユーザに選択させる処理であると共に、図４（ａ）に示した画面として、その時点において、ＨＤＤ上に保存されている任意の画像データを選択できるもの（スキャン処理により保存された画像データも、ステップＳ２０４の処理により保存された画像データも選択できるもの）を表示する処理となっている。
【００３２】
すなわち、本実施形態に係る電子黒板システムは、電子黒板１０のボード面上の画像を、後日、ボード面上に再表示させることや、スキャン処理により保存していおいた画像データに応じた画像を、ボード面上に表示させることや、電子黒板１０のボード面上の画像を表す画像データの各種形式のファイルを，ユーザのコンピュータ５０に送る（コンピュータ５０のフォルダ内に記憶する）ことが可能なシステムとなっている。
【００３３】
そして、上記説明から明らかなように、本実施形態に係る電子黒板システムは、複合機２０が、電子黒板１０関連の画像データを記憶するためのコンピュータとして機能するものとなっている。また、複合機２０は、既存の複合機（特にＨＤＤを備えたもの）を少し改造するだけで実現可能な構成を有するものであり、電子黒板１０は、印刷機構や画像データをファイル化してコンピュータ５０に送信するための機構を有さないものである。
【００３４】
従って、本実施形態に係る電子黒板システムは、極めて安価に製造できるシステムであると共に、その運用のために、コンピュータを用意する必要もないシステムとなっていると言うことが出来る。
【００３５】
＜変形形態＞
上記した電子黒板システムは、各種の変形を行うことが出来る。例えば、複合機２０の操作パネル２３を操作することにより、電子黒板１０のボード面に表示される画像を変更できるように、電子黒板システムを変形しておいても良い。また、ユーザが印刷と保存とを同時に指示できるように、電子黒板システムを変形しておいても良い。
【００３６】
また、複合機２０の操作パネル部２３（ＬＣＤ）に、図４に示したものとは異なる画面が表示されるように、複合機２０（制御部２４）を変形しても良いことや、電子黒板システムにおける電子黒板１０，複合機２０間の情報交換手順を上記したものとは異なるものとしておいても良いことなどは、当然のことである。
【図面の簡単な説明】
【００３７】
【図１】本発明の一実施形態に係る電子黒板システムの構成図。
【図２】実施形態に係る電子黒板システムを構成する電子黒板内で実行される処理の流れ図。
【図３】実施形態に係る電子黒板システムを構成する複合機内で実行される処理の流れ図。
【図４】画像データファイル送信処理時に、複合機の操作パネル部（ＬＣＤ）に表示される画面の説明図。
【符号の説明】
【００３８】
１０  電子黒板、  １１  画像投影部、  １２  画像読取部
１３，２３  操作パネル部、  １４，２４  制御部、  ２０  複合機
２１  印刷部、  ２２  スキャナ部、  ５０  コンピュータ
【図１】
2006080729.tif 000003
【図２】
2006080729.tif 000004
【図３】
2006080729.tif 000005
【図４】
2006080729.tif 000006